【手続補正書】
【提出日】平成27年2月9日(2015.2.9)
【手続補正１】
【補正対象書類名】特許請求の範囲
【補正対象項目名】全文
【補正方法】変更
【補正の内容】
【特許請求の範囲】
【請求項１】
複数の色成分のカラーフィルタを有する撮像素子と、
前記撮像素子の出力からデジタル変換された画像データにホワイトバランス処理を行うホワイトバランス処理手段と、
前記ホワイトバランス処理がなされた画像データを記憶するメモリと、
前記メモリから読み出された複数の画像データを、対応する位置のデータ同士でそれぞれ比較する比較手段と、
前記比較手段の比較結果に基づいて、各位置の画像データを前記複数の画像データから選択的に出力することで合成画像データを生成する生成手段と、
前記合成画像データに画像処理を行う画像処理手段と、
前記画像処理がなされた合成画像データを記録媒体に記録する記録手段と、を備えることを特徴とする撮像装置。
【請求項２】
前記比較手段は、
前記メモリから読み出された各画像データに対して、１画面内を、１画素以上の画素から構成される領域ごとに色成分別に平均値を算出する算出処理と、
前記算出処理によって平均値を算出された色成分ごとのデータを、マトリックス変換処理によって、明度成分、彩度成分、色相成分に変換する変換処理と、を行い、
前記変換処理による変換後の明度成分、彩度成分、色相成分の少なくともいずれか１つの成分の大小関係を比較することを特徴とする請求項１に記載の撮像装置。
【請求項３】
前記比較手段は、
前記メモリから読み出された各画像データに対して、画素ごとに該当する画素とその周辺に存在する複数の同じ色成分の画素を抽出し、色成分別に平均値を算出する算出処理と、
前記算出処理によって平均値を算出された色成分ごとのデータを、マトリックス変換処理によって、明度成分、彩度成分、色相成分に変換する変換処理と、を行い、
前記変換処理による変換後の明度成分、彩度成分、色相成分の少なくともいずれか１つの成分の大小関係を比較することを特徴とする請求項１または２に記載の撮像装置。
【請求項４】
前記比較手段は、前記メモリから読み出された複数の画像データにフィルタ処理がなされた画像データを取得することを特徴とする請求項１乃至３のいずれか１つに記載の撮像装置。
【請求項５】
前記フィルタ処理は、低域通過フィルタの特性を持つフィルタ処理であることを特徴とする請求項４に記載の撮像装置。
【請求項６】
前記フィルタ処理は、適応補間処理によって画素間の大小関係の方向性を見て補間するフィルタ処理であることを特徴とする請求項４に記載の撮像装置。
【請求項７】
複数の色成分のカラーフィルタで構成される撮像素子を有し、前記撮像素子で被写体像を撮像し、画像データを出力する撮像手段と、
前記撮像手段から出力される第１の画像データと前記撮像手段から出力される第２の画像データとを、画像内の対応する領域の画像データ同士で比較する比較手段と、
前記比較結果に基づいて、領域ごとに前記第１の画像データ及び前記第２の画像データのいずれか１つの画像データを選択的に出力することで合成画像データを生成する生成手段と、を有することを特徴とする撮像装置。
【請求項８】
前記生成手段は、領域ごとに、前記比較手段による比較で大きい方の値をそれぞれ出力することを特徴とする請求項１乃至７のいずれか１つに記載の撮像装置。
【請求項９】
前記生成手段は、領域ごとに、前記比較手段による比較で小さい方の値をそれぞれ出力することを特徴とする請求項１乃至８のいずれか１つに記載の撮像装置。
【請求項１０】
複数の色成分のカラーフィルタを有する撮像素子を有する撮像装置の制御方法であって、前記撮像素子の出力からデジタル変換された画像データにホワイトバランス処理を行うホワイトバランス処理ステップと、
前記ホワイトバランス処理がなされた画像データをメモリに記憶する記憶ステップと、
前記メモリから読み出された複数の画像データを、対応する位置のデータ同士でそれぞれ比較する比較ステップと、
前記比較ステップでの比較結果に基づいて、各位置の画像データを前記複数の画像データから選択的に出力することで合成画像データを生成する生成ステップと、
前記合成画像データに画像処理を行う画像処理ステップと、
前記画像処理がなされた合成画像データを記録媒体に記録する記録ステップと、を備えることを特徴とする撮像装置の制御方法。
【請求項１１】
複数の色成分のカラーフィルタで構成される撮像素子を有し、前記撮像素子で被写体像を撮像し、画像データを出力する撮像手段を有する撮像装置の制御方法であって、
前記撮像手段から出力される第１の画像データと前記撮像手段から出力される第２の画像データとを、画像内の対応する領域の画像データ同士で比較する比較ステップと、
前記比較結果に基づいて、領域ごとに前記第１の画像データ及び前記第２の画像データのいずれか１つの画像データを選択的に出力することで合成画像データを生成する生成ステップと、を有することを特徴とする撮像装置の制御方法。
【手続補正２】
【補正対象書類名】明細書
【補正対象項目名】００２８
【補正方法】変更
【補正の内容】
【００２８】
上記目的を達成するために、本発明にかかる撮像装置は、複数の色成分のカラーフィルタを有する撮像素子と、前記撮像素子の出力からデジタル変換された画像データにホワイトバランス処理を行うホワイトバランス処理手段と、前記ホワイトバランス処理がなされた画像データを記憶するメモリと、前記メモリから読み出された複数の画像データを、対応する位置のデータ同士でそれぞれ比較する比較手段と、前記比較手段の比較結果に基づいて、各位置の画像データを前記複数の画像データから選択的に出力することで合成画像データを生成する生成手段と、前記合成画像データに画像処理を行う画像処理手段と、前記画像処理がなされた合成画像データを記録媒体に記録する記録手段と、を備えることを特徴とする。また、本発明にかかる撮像装置は、複数の色成分のカラーフィルタで構成される撮像素子を有し、前記撮像素子で被写体像を撮像し、画像データを出力する撮像手段と、前記撮像手段から出力される第１の画像データと前記撮像手段から出力される第２の画像データとを、画像内の対応する領域の画像データ同士で比較する比較手段と、前記比較結果に基づいて、領域ごとに前記第１の画像データ及び前記第２の画像データのいずれか１つの画像データを選択的に出力することで合成画像データを生成する生成手段と、を有することを特徴とする。
【手続補正３】
【補正対象書類名】明細書
【補正対象項目名】００２９
【補正方法】変更
【補正の内容】
【００２９】
また、本発明にかかる撮像装置の制御方法は、複数の色成分のカラーフィルタを有する撮像素子を有する撮像装置の制御方法であって、前記撮像素子の出力からデジタル変換された画像データにホワイトバランス処理を行うホワイトバランス処理ステップと、前記ホワイトバランス処理がなされた画像データをメモリに記憶する記憶ステップと、前記メモリから読み出された複数の画像データを、対応する位置のデータ同士でそれぞれ比較する比較ステップと、前記比較ステップでの比較結果に基づいて、各位置の画像データを前記複数の画像データから選択的に出力することで合成画像データを生成する生成ステップと、前記合成画像データに画像処理を行う画像処理ステップと、前記画像処理がなされた合成画像データを記録媒体に記録する記録ステップと、を備えることを特徴とする。また、本発明にかかる撮像装置の制御方法は、複数の色成分のカラーフィルタで構成される撮像素子を有し、前記撮像素子で被写体像を撮像し、画像データを出力する撮像手段を有する撮像装置の制御方法であって、前記撮像手段から出力される第１の画像データと前記撮像手段から出力される第２の画像データとを、画像内の対応する領域の画像データ同士で比較する比較ステップと、前記比較結果に基づいて、領域ごとに前記第１の画像データ及び前記第２の画像データのいずれか１つの画像データを選択的に出力することで合成画像データを生成する生成ステップと、を有することを特徴とする。